(57)【特許請求の範囲】
【請求項１】
遊技盤の所定位置に配設されたベース部材と、このベース部材に搭載されたモータと、このモータを駆動源として正逆両方向へ回転するピニオンと、このピニオンに噛合する第１乃至第３のラックと、前記ベース部材に往復動可能に支持された第１および第２の可動体と、これら第１および第２の可動体を互いに近接する初期位置に向けて付勢する復帰手段とを備え、
前記第１乃至第３のラックのうち、少なくとも前記第１および第２のラックは前記ピニオンを介して互いに平行に配置されており、前記第１の可動体に前記第１および第２のラックの各一端部とのみ接離可能な第１受け部を設けると共に、前記第２の可動体に前記第３のラックの一端部とのみ接離可能な第２受け部を設け、
前記ピニオンを一方向へ回転させて前記第１のラックが前記第１受け部と当接する方向へ移動するとき、前記第３のラックは前記第２受け部から離反する方向へ移動し、
前記ピニオンを他方向へ回転させて前記第２のラックが前記第１受け部と当接する方向へ移動するとき、前記第３のラックは前記第２受け部と当接する方向へ移動することをことを特徴とする可動役物装置。
【請求項２】
請求項１の記載において、前記第１の可動体の移動方向に対して前記第２の可動体の移動方向が交差しており、前記第１および第２のラックが前記第１の可動体の移動方向と平行に配置されていると共に、前記第３のラックが前記第２の可動体の移動方向と平行に配置されていることを特徴とする可動役物装置。
【請求項３】
遊技盤の所定位置に配設されたベース部材と、このベース部材に搭載されたモータと、このモータを駆動源として正逆両方向へ回転するピニオンと、このピニオンに噛合して互いに逆向きに往復動可能な第１および第２のラックと、前記ベース部材に往復動可能に支持された第１および第２の可動体と、これら第１および第２の可動体を互いに近接する初期位置に向けて付勢する復帰手段とを備え、
前記第１の可動体に前記第１および第２のラックの各一端部と接離可能な第１受け部を設けると共に、前記第２の可動体に前記第１のラックの他端部とのみ接離可能な第２受け部を設け、
前記ピニオンを一方向へ回転させて前記第１のラックが前記第１受け部と当接する方向へ移動するとき、前記第２のラックは前記第２受け部の側方を非接触で移動し、
前記ピニオンを他方向へ回転させて前記第２のラックが前記第１受け部と当接する方向へ移動するとき、前記第１のラックは前記第２受け部と当接する方向へ移動することを特徴とする可動役物装置。
【発明の詳細な説明】
【技術分野】
【０００１】
本発明は、パチンコ機等の遊技機に備えられる可動役物装置に関するものである。
【背景技術】
【０００２】
パチンコ機に代表される遊技機の中には、遊技盤の遊技領域に可変表示装置や始動入賞口やアタッカ装置等を設け、遊技領域に向けて発射された遊技球が始動入賞口に入賞したことを契機に電子抽選を行い、その抽選結果に基づいて可変表示装置が図柄の変動表示および変動停止を行うようにした機種が数多く存在する。電子抽選の抽選結果には当たりとハズレがあり、抽選結果が当たりの場合には、可変表示装置の表示画面に特定の図柄が表示され、通常モードから特別遊技モードへと移行する。この特別遊技モードでは、アタッカ装置の開閉扉が開放動作して大入賞口を露呈させるので、露呈した大入賞口に遊技球が入りやすくなって遊技者は多くの賞球を獲得できるようになる。
【０００３】
この種のパチンコ機において、可動態様を変化させることができる可動体を可変表示装置の周囲の任意位置に配置し、電子抽選の抽選結果に基づく可変表示装置の表示内容と可動体の可動態様とを組み合わせることにより、興趣性の高い演出を行うようにした可動役物装置が広く採用されている。可動体はモータ等を駆動源として種々の動きを行うようになっており、その一例として、一対の可動体を可変表示装置の前方で左右方向に往復移動させるようにした可動役物装置が従来より知られている（例えば、特許文献１参照）。
【０００４】
特許文献１に開示された可動役物装置では、障子を模した縦長矩形状の可動体を可変表示装置の左右両側に配置し、これら可動体を上レールと下レールによって左右方向へ移動可能にガイドすると共に、両可動体の下端側にそれぞれラックが連結されている。これらラックはピニオンを介して互いに平行に配置されており、一方のラックのピニオンと反対側に噛合した中継ギアをモータによって回転駆動するようになっている。常態では、一対の可動体は互いの距離を最も離反させた初期位置に待機しており、可変表示装置の表示画面は両可動体に隠されることなく露出している。この状態でモータを作動させて中継ギアが正逆いずれか一方向へ回転すると、ラック・ピニオン機構によって一対のラックが左右方向へ逆向きに移動するため、各ラックに連結された可動体が上下レールにガイドされながら表示画面の中央部に向かって移動し、これら可動体は表示画面の前方で閉じられた状態となる。また、この状態でモータを逆向きに作動させると、一対のラックがそれぞれ上記と逆向きに移動するため、それに伴って両可動体は表示画面の左右方向へ移動して初期位置に戻る。
【先行技術文献】
【特許文献】
【０００５】
【特許文献１】特開２０１１−１８３０７８号公報
【発明の概要】
【発明が解決しようとする課題】
【０００６】
前述した従来の可動役物装置は、ラック・ピニオン機構によって一対の可動体を近接・離反させることができるため、障子のように開閉する可動体の動きと可変表示装置の表示内容とを関連付けることで遊技の演出効果を高めることができる。しかしながら、一対の可動体が必ず同期して移動するようになっているため、両方の可動体を同時に移動させるという可動演出に加えて、一方の可動体を停止させたまま他方の可動体を移動させるという可動演出を行うことはできず、両可動体の可動態様が比較的単調になってしまうという難点があった。
【０００７】
本発明は、このような従来技術の実情に鑑みてなされたもので、その目的は、一対の可動体をラック・ピニオン機構によって単独または同時に動作させることができる可動役物装置を提供することにある。
【課題を解決するための手段】
【０００８】
上記の目的を達成するために、本発明の可動役物装置は、遊技盤の所定位置に配設されたベース部材と、このベース部材に搭載されたモータと、このモータを駆動源として正逆両方向へ回転するピニオンと、このピニオンに噛合する第１乃至第３のラックと、前記ベース部材に往復動可能に支持された第１および第２の可動体と、これら第１および第２の可動体を互いに近接する初期位置に向けて付勢する復帰手段とを備え、前記第１乃至第３のラックのうち、少なくとも前記第１および第２のラックは前記ピニオンを介して互いに平行に配置されており、前記第１の可動体に前記第１および第２のラックの各一端部とのみ接離可能な第１受け部を設けると共に、前記第２の可動体に前記第３のラックの一端部とのみ接離可能な第２受け部を設け、前記ピニオンを一方向へ回転させて前記第１のラックが前記第１受け部と当接する方向へ移動するとき、前記第３のラックは前記第２受け部から離反する方向へ移動し、前記ピニオンを他方向へ回転させて前記第２のラックが前記第１受け部と当接する方向へ移動するとき、前記第３のラックは前記第２受け部と当接する方向へ移動するように構成した。
【０００９】
このように構成された可動役物装置では、第１の可動体と第２の可動体が初期位置で近接しているとき、第１および第２のラックの各一端部は第１の可動体に設けられた第１受け部に当接していると共に、第３のラックの一端部は第２の可動体に設けられた第２受け部に当接している。この状態でモータを作動させてピニオンが一方向へ回転すると、第２のラックは第１受け部から離れる方向へ移動するが、第１のラックは第２のラックと逆向きに移動して第１受け部を押圧するため、第１の可動体は復帰手段の付勢力に抗して初期位置から移動する。その際、第３のラックは第２受け部から離反する方向へ移動するため、第２の可動体は初期位置に停止したまま移動しない。これに対し、初期状態でモータを逆向きに作動してピニオンが他方向へ回転すると、第１のラックは第１受け部から離れる方向へ移動するが、第２のラックは第１のラックと逆向きに移動して第１受け部を押圧するため、第１の可動体は復帰手段の付勢力に抗して初期位置から移動する。その際、第３のラックは第２受け部を押圧するする方向へ移動するため、第２の可動体も復帰手段の付勢力に抗して初期位置から移動する。すなわち、モータの回転方向を変えるだけで、第２の可動体を停止させたまま第１の可動体だけを移動させたり、第１の可動体と第２の可動体を同時に移動させることができるため、第１および第２の可動体によるインパクトのある可動演出を実現することができる。
【００１０】
上記の構成において、第１の可動体の移動方向に対して第２の可動体の移動方向が交差しており、第１および第２のラックが第１の可動体の移動方向と平行に配置されていると共に、第３のラックが第２の可動体の移動方向と平行に配置されていると、第１および第２の可動体を限られた領域内で効果的に移動させることができるだけでなく、第１乃至第３のラックの移動を第１の可動体や第２の可動体の移動に効率良く伝達することができて好ましい。
【００１１】
また、上記の目的を達成するために、本発明の可動役物装置は、遊技盤の所定位置に配設されたベース部材と、このベース部材に搭載されたモータと、このモータを駆動源として正逆両方向へ回転するピニオンと、このピニオンに噛合して互いに逆向きに往復動可能な第１および第２のラックと、前記ベース部材に往復動可能に支持された第１および第２の可動体と、これら第１および第２の可動体を互いに近接する初期位置に向けて付勢する復帰手段とを備え、前記第１の可動体に前記第１および第２のラックの各一端部と接離可能な第１受け部を設けると共に、前記第２の可動体に前記第１のラックの他端部とのみ接離可能な第２受け部を設け、前記ピニオンを一方向へ回転させて前記第１のラックが前記第１受け部と当接する方向へ移動するとき、前記第２のラックは前記第２受け部の側方を非接触で移動し、前記ピニオンを他方向へ回転させて前記第２のラックが前記第１受け部と当接する方向へ移動するとき、前記第１のラックは前記第２受け部と当接する方向へ移動するように構成した。
【００１２】
このように構成された可動役物装置では、第１の可動体と第２の可動体が初期位置で近接しているとき、第１および第２のラックの各一端部は第１の可動体に設けられた第１受け部に当接していると共に、第１のラックの他端部は第２の可動体に設けられた第２受け部に当接している。この状態でモータを作動させてピニオンが一方向へ回転すると、第１のラックは第１受け部を押圧する方向へ移動するが、第２のラックは第１のラックと逆向きに移動して第２受け部に接触しないため、この場合は、第２の可動体は初期位置に停止したまま移動せず、第１の可動体だけが復帰手段の付勢力に抗して初期位置から移動する。これに対し、初期状態でモータを逆向きに作動してピニオンが他方向へ回転すると、第２のラックは第１受け部を押圧する方向へ移動するが、第１のラックは第２のラックと逆向きに移動して第２受け部を押圧するため、この場合は、第１の可動体と第２の可動体がそれぞれ復帰手段の付勢力に抗して初期位置から移動する。すなわち、モータの回転方向を変えるだけで、第２の可動体を停止させたまま第１の可動体だけを移動させたり、第１の可動体と第２の可動体を同時に移動させることができるため、第１および第２の可動体によるインパクトのある可動演出を実現することができる。
【発明の効果】
【００１３】
本発明の可動役物装置は、ピニオンの回転をラックの直線運動に変換するというラック・ピニオン機構を用いて第１の可動体と第２の可動体を往復移動させるようになっているが、モータの回転方向に応じて、第２の可動体を停止させたまま第１の可動体だけを移動させたり、第１の可動体と第２の可動体を同時に移動させることができるため、第１および第２の可動体によるインパクトのある可動演出を実現することができる。
【図面の簡単な説明】
【００１４】
【図１】本発明の実施形態例に係るパチンコ機の斜視図である。
【図２】図１に示すパチンコ機の前面扉を開放した状態の斜視図である。
【図３】図１に示すパチンコ機の背面図である。
【図４】図１のパチンコ機に備えられる遊技盤の正面図である。
【図５】該遊技盤に配設された可動役物装置の斜視図である。
【図６】該可動役物装置の側面図である。
【図７】該可動役物装置の裏面図である。
【図８】該可動役物装置に備えられる第１の可動体の動作状態を示す斜視図である。
【図９】図８に示す可動役物装置を後方から見た斜視図である。
【図１０】図８に示す可動役物装置の裏面図である。
【図１１】該可動役物装置に備えられる第１および第２の可動体の動作状態を示す斜視図である。
【図１２】図１１に示す可動役物装置を後方から見た斜視図である。
【図１３】図１１に示す可動役物装置の裏面図である。
【図１４】他の実施形態例に係る可動役物装置の初期状態を示す説明図である。
【図１５】図１４に示す可動役物装置の動作説明図である。
【図１６】図１４に示す可動役物装置の動作説明図である。
【発明を実施するための形態】
【００１５】
発明の実施の形態について図面を参照して説明すると、図１と図２に示すように、本発明の実施形態例に係る遊技機（パチンコ機）は、遊技場の島設備に設置される縦長方形状の機枠１と、機枠１に扉状に開閉自在に取り付けられた機器本体２と、機器本体２の前面に扉状に開閉自在に取り付けられた前面扉３等を備えており、前面扉３にはガラスやプラスチック等からなる透明板４が取り付けられている。
【００１６】
機枠１の左下隅部には大型のスピーカ５が配設されており、このスピーカ５は前面扉３の切り欠き内に位置して前方に露出している。機器本体２の上部内側には後述する遊技盤６が収納されており、この遊技盤６の盤面（前面）は透明板４を透して外部から目視可能となっている。また、機器本体２の右側枠部にはシリンダ錠７ａを有する施錠装置７が設置されており、図示省略されているが、この施錠装置７は機器本体２の裏面に配置された後部施錠杆と機器本体２の前面に配置された前部施錠杆とを備えている。常態では、施錠装置７の後部施錠杆によって機枠１に対して機器本体２が施錠されると共に、前部施錠杆によって機器本体２に対して前面扉３が施錠されている。そして、シリンダ錠７ａの鍵穴に図示せぬ鍵を差し込み、この鍵を一方向（例えば時計回り）へ回動すると、後部施錠杆が下動して機器本体２が開錠されるようになっている。また、シリンダ錠７ａの鍵穴に差し込んだ鍵を他方向（反時計回り）へ回動すると、前部施錠杆が上動して前面扉３が開錠されるようになっている。
【００１７】
前面扉３には遊技盤６の盤面に対向する大きな開口３ａが開設されており、この開口３ａは透明板４によって塞がれている。前面扉３の前面上部には比較的小型のスピーカ８が左右に１個ずつ配設されており、これらスピーカ８と前述した大型のスピーカ５とによって遊技に関する様々な効果音を発するようになっている。さらに、前面扉３の前面下部には、遊技盤６の裏面に配設された賞球払出装置（後述する）から払い出された遊技球を収容する上段受皿９と、上段受皿９から排出された遊技球を収容する下段受皿１０と、遊技者による押下操作が可能なプッシュ釦１１等が設けられており、上段受皿９の右側方には操作ハンドル１２が配設されている。
【００１８】
機枠１の左側枠部には上側軸受け体１３と下側軸受け体１４が固着されており、これら両軸受け体１３，１４に本体枠２の左側枠部の上下両端に設けた第１ピン（図示省略）を軸支することによって、本体枠２を機枠１に対して開閉自在に支持する第１ヒンジ機構が構成されている。一方、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。また、本体枠２の上部内側は遊技盤６の収納スペースとなっており、この収納スペースの下方は前面扉３によって覆い隠される設置部２ｂとなっている。設置部２ｂ内の下部中央には遊技球を遊技領域９に向けて発射する発射装置１５が配設されており、前述した操作ハンドル１２の回動操作量に応じて発射装置１５の発射強度が調整されるようになっている。
【００１９】
図３に示すように、遊技盤６の裏面側には、遊技に関する主要な処理を行う主制御処理部１６と、主制御処理部１６からの指令を受けて前述したスピーカ５，８や後述する可変表示装置や役物装置ユニット等の各種装置を制御する副制御処理部１７と、前述した賞球払出装置１８と、主制御処理部１６からの指令を受けて賞球払出装置１８を制御する払出制御処理部１９と、操作ハンドル１２の回動操作量に応じて前記発射装置１５の作動を制御する発射制御処理部２０と、賞球数や大当たり回数等の各種情報を遊技場のホールコンピュータに出力する外部端子基板２１等が設けられている。主制御処理部１６は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００２０】
図４に示すように、遊技盤６の前面はガイドレール２２等によって略円形状に区画された遊技領域２３となっており、遊技者が操作ハンドル１２を任意角度まで回動操作すると、前記発射装置１５が上段受皿９に保留された遊技球を遊技領域２３に向けて連続的に打ち出すようになっている。遊技領域２３の上部中央付近にはセンター役物２４が配置されており、このセンター役物２４は、中央部に矩形状の開口部２５ａを有する装飾枠２５と、装飾枠２５の上壁部に配設された後述する可動役物装置２６と、装飾枠２５の裏面側に配置された可変表示装置２７とを具備している。可変表示装置２７は液晶パネル（ＬＣＤ）からなり、その表示画面２７ａは装飾枠２５の開口部２５ａから露出している。
【００２１】
装飾枠２５の下壁部には左右方向へＶ字形状に延びるステージ２８が設けられており、このステージ２８の中央部には前方側へ傾斜する誘導溝２８ａが形成されている。また、装飾枠２５の左側壁には中空構造のワープ通路２９が形成されており、このワープ通路２９の両端は遊技領域２３とステージ２８に向けてそれぞれ開口している。したがって、センター役物２４の左側の遊技領域２３を流下する遊技球がワープ通路２９に入球すると、その遊技球はワープ通路２９の内部を通ってステージ２８に排出された後、ステージ２８上を転動して誘導溝２８ａへと導かれる。
【００２２】
ステージ２８の誘導溝２８ａの真下位置には上面を開口した単純構造の第１始動入賞口３０が配設されており、ステージ２８上を転動して誘導溝２８ａから落下した遊技球が高い確率で第１始動入賞口３０に入賞するようになっている。第１始動入賞口３０の真下には第２始動入賞口３１が配設されており、この第２始動入賞口３１は一対の可動片を有する電動チューリップ構造の始動入賞口となっている。そして、これら第１および第２始動入賞口３０，３１のいずれか一方に遊技球が入賞すると、それを契機として特別図柄に係る電子抽選が行われ、その抽選結果に基づいて可変表示装置２７の表示画面２７ａ上で演出用図柄の変動表示および停止表示が行われる。また、装飾枠２５の右下隅部にスルーチャッカー３２が配設されており、センター役物２４の右側に打ち出された遊技球がこのスルーチャッカー３２を通過すると、それを契機として普通図柄に係る電子抽選が行われ、その抽選結果が当たりの場合に第２始動入賞口３１の両可動片を一時的に開放して遊技球の入賞を許可するようになっている。
【００２３】
さらに、ステージ２８の右斜め下方位置にはアタッカ装置３３が配設されており、このアタッカ装置３３は内部の大入賞口を開閉可能な横長形状の開閉扉を有している。アタッカ装置３３は、第１および第２始動入賞口３０，３１のいずれか一方に遊技球が入賞することを契機に行われる特別図柄に係る電子抽選の結果、当たりとなって大当たり遊技状態（特別遊技モード）へ移行した場合に作動される装置である。具体的には、特別図柄の抽選結果が当たりの場合、アタッカ装置３３の開閉扉が複数回繰り返して開放動作することにより、大入賞口を露呈させて遊技球の入賞を許可するようになっている。開閉扉は１回の開放動作（１ラウンド）について例えば３０秒経過するまで、あるいは遊技球が大入賞口に例えば１０個入るまで開放状態を維持し、かかる開放動作を例えば１５回繰り返した後に大当たり遊技が終了する。
【００２４】
その他、遊技領域２３には、遊技球の払い出しのみを行う複数の一般入賞口３４や、遊技球の流下経路を担う風車３５と複数本の遊技釘３６等が配設されており、いずれの始動入賞口３０，３１や一般入賞口３４にも入賞しなかった遊技球は、遊技領域２３の最下端部に設けられたアウト口３７から遊技盤６の裏面側に排出されるようになっている。
【００２５】
可動役物装置２６は前述した特別図柄に係る電子抽選の結果を一対の可動体の可動態様によって遊技者に示唆することができる装置であり、図５〜図７に示すように、本実施形態例に係る可動役物装置２６は、可変表示装置２７の上方位置で遊技盤６に固定されたベース部材３８と、ベース部材３８に取り付けられたモータ３９と、モータ３９を駆動源として正逆両方向へ回転するピニオン４０と、ピニオン４０に噛合する第１乃至第３のラック４１，４２，４３と、ベース部材３８に往復動可能に支持された第１の可動体４４および第２の可動体４５と、第１の可動体４４を初期位置に向けて付勢する第１コイルばね４６と、第２の可動体４５を初期位置に向けて付勢する第２コイルばね４７等によって主に構成されている。
【００２６】
モータ３９はベース部材３８の内壁面に取り付けられており、このモータ３９の回転が複数のギアからなる減速歯車列４８を介して最終段のピニオン４０に伝達されるようになっている。ピニオン４０には第１乃至第３のラック４１，４２，４３が噛合しており、そのうち第１のラック４１と第２のラック４２はピニオン４０を介して同一平面上で互いに平行に配置され、第３のラック４３は別の平面上でピニオン４０に噛合している。図示省略されているが、ベース部材３８は前後方向に所定間隔を存して対向する２つの支持板を有しており、第１および第２のラック４１，４２は一方の支持板に設けられたガイド溝に沿って往復動可能にガイドされ、第３のラック４３は他方の支持板に設けられたガイド溝に沿って往復動可能にガイドされている。ただし、第１および第２のラック４１，４２の移動方向に対して第３のラック４３の移動方向は交差しており、後述するように、第１および第２のラック４１，４２は第１の可動体４４と同一方向に移動し、第３のラック４３は第２の可動体４５と同一方向に移動するようになっている。
【００２７】
ベース部材３８の前方には装飾板４９が固定されており、この装飾板４９によってモータ３９や各ラック４１，４２，４３は覆い隠されている。装飾板４９には複数のＬＥＤを実装した回路基板（図示せず）が収納されており、ＬＥＤから発せられる光によって装飾板４９の前面に施された意匠面を照光可能となっている。
【００２８】
第１の可動体４４と第２の可動体４５は装飾板４９の前方に配置されており、これら両可動体４４，４５は装飾板４９の中央付近を初期位置として互いに逆方向へ移動可能となっている。すなわち、第１の可動体４４はベース部材３８に形成された第１のガイド孔３８ａに往復動可能にガイドされており、第１のガイド孔３８ａは図７の直線Ｑ１方向へ延びているため、第１の可動体４４はこの直線Ｑ１に沿って装飾板４９の下部領域を斜め方向へ往復動可能となっている。一方、第２の可動体４５はベース部材３８に形成された第２のガイド孔３８ｂに往復動可能にガイドされており、第２のガイド孔３８ｂは図７の直線Ｑ２方向へ延びているため、第２の可動体４５はこの直線Ｑ２に沿って装飾板４９の上部領域を斜め方向へ往復動可能となっている。また、第１の可動体４４とベース部材３８との間に第１コイルばね４６の両端部が掛止めされており、第１の可動体４４はこの第１コイルばね４６の引張力により常に初期位置に向けて付勢されている。同様に、第２の可動体４５とベース部材３８との間に第２コイルばね４７の両端部が掛止めされており、第２の可動体４５はこの第２コイルばね４７の引張力により常に初期位置に向けて付勢されている。なお、第１の可動体４４の移動方向である直線Ｑ１は第１および第２のラック４１，４２の移動方向と平行に設定され、第２の可動体４５の移動方向である直線Ｑ２は第３のラック４３の移動方向と平行に設定されている。
【００２９】
図４に示すように、可動役物装置２６はセンター役物２４の上部位置に配設されており、第１の可動体４４は初期位置から可変表示装置２７の表示画面２７ａの中央部に向かって落下し、第２の可動体４５は初期位置から装飾枠２５の上端部に向かって上昇するようになっている。この場合、第１の可動体４４は表示画面２７ａの前方の広い空間を移動スペースとして利用できるものの、第２の可動体４５は周辺部材の存在によって移動スペースに制約を受けることになり、第２の可動体４５の上下方向（鉛直方向）の移動量を十分に大きく設定することは難しくなる。そこで、本実施形態例では、第１の可動体４４の移動方向である直線Ｑ１に対して第２の可動体４５の移動方向である直線Ｑ２の傾斜角度が緩やかになるように設定し、第１および第２の可動体４４，４５が同じ距離だけ移動したときに、第１の可動体４４に比べて第２の可動体４５の方が上下方向の変位量が少なくなるようにしてある。
【００３０】
第１の可動体４４の背面側には第１受け部４４ａが立設されており、この第１受け部４４ａは第１および第２のラック４１，４２の下端部４１ａ，４２ａと接離可能に対向している。第１受け部４４ａは直線Ｑ１に対して直交方向へ延出しており、前述したように第１および第２のラック４１，４２の移動方向が直線Ｑ１と平行に設定されているため、第１受け部４４ａに対して第１および第２のラック４１，４２は直交するように配置されている。したがって、ピニオン４０の回転に伴って第１および第２のラック４１，４２が互いに逆向きに移動すると、いずれか一方のラック４１，４２の下端部４１ａ，４２ａから第１受け部４４ａに対して直交方向の押圧力が作用し、その押圧力によって第１の可動体４４を初期位置から移動させることができる。その際、第１および第２のラック４１，４２の上端部４１ｂ，４２ｂは第２の可動体４５の後部上方を非接触な状態で移動するため、第１および第２のラック４１，４２は第２の可動体４５の移動に関与しない。
【００３１】
また、第２の可動体４５の背面側には第２受け部４５ａが立設されており、この第２受け部４５ａは第３のラック４３の上端部４３ｂと接離可能に対向している。第２受け部４５ａは直線Ｑ２に対して直交方向へ延出しており、前述したように第３のラック４３の移動方向が直線Ｑ２と平行に設定されているため、第２受け部４５ａに対して第３のラック４３は直交するように配置されている。したがって、ピニオン４０の回転に伴って第３のラック４３が直線Ｑ２方向へ移動すると、第３のラック４３の上端部４３ｂから第２受け部４５ａに対して直交方向の押圧力が作用し、その押圧力によって第２の可動体４５を初期位置から移動させることができる。その際、第３のラック４３の下端部４３ａは第１の可動体４４の後部側方を非接触な状態で移動するため、第３のラック４３は第１の可動体４４の移動に関与しない。
【００３２】
なお、第１の可動体４４と第２の可動体４５にも複数のＬＥＤを実装した回路基板（図示せず）が収納されており、ＬＥＤから発せられる光によって第１および第２の可動体４４，４５の前面に施された意匠面を照光可能となっている。
【００３３】
このように構成された遊技機（パチンコ機）において、通常、可動役物装置２６の第１の可動体４４と第２の可動体４５はそれぞれ初期位置で停止しており、図５〜図７に示すように、装飾板４９の大部分は第１および第２の可動体４４，４５によって覆い隠されている。この場合、第１および第２のラック４１，４２の下端部４１ａ，４２ａは第１の可動体４４の第１受け部４４ａに当接し、第３のラック４３の上端部４３ｂは第２の可動体４５の第２受け部４５ａに当接しており、ピニオン４０は第１乃至第３のラック４１，４２，４３の各中央部分と噛合している。
【００３４】
この状態でモータ３９を駆動してピニオン４０が図７の反時計回りに回転すると、第１のラック４１が斜め下方へ移動して第１受け部４４ａを押圧すると共に、第２のラック４２が斜め上方へ移動して第１受け部４４ａから離反し、同時に、第３のラック４３が斜め下方へ移動して第２受け部４５ａから離反する。その結果、第２の可動体４５は初期位置に停止したまま移動しないが、第１の可動体４４が直線Ｑ１に沿って初期位置から斜め下方へ移動開始し、それに伴って第１コイルばね４６が伸延されていく。そして、ピニオン４０が第１乃至第３のラック４１，４２，４３の末端部分と噛合する位置まで回転すると、図８〜図１０に示すように、第１の可動体４４が装飾板４９の下辺近傍の最下位置まで移動し、第１の可動体４４の上辺と第２の可動体４５の下辺との間に装飾板４９の一部が露出する。
【００３５】
このように第１の可動体４４が最下位置まで移動した後、モータ３９を逆向きに駆動してピニオン４０が図１０の時計回りに回転すると、第１のラック４１は第１受け部４４ａから離反するように斜め上方へ移動すると共に、第２のラック４２は斜め下方へ移動して第１受け部４４ａに近付いていき、同時に、第３のラック４３は斜め上方へ移動して第２受け部４５ａに近付いていく。その際、第１の可動体４４は第１コイルばね４６の引張力を受けて初期位置へ付勢されているため、第１の可動体４４は第１受け部４４ａを第１のラック４１の下端部４１ａに当接させたまま、第１のラック４１の動きに追従して斜め上方へ移動する。そして、ピニオン４０が第１乃至第３のラック４１，４２，４３の反対側の末端部分と噛合する位置まで回転すると、図５〜図７に示すように、第１の可動体４４が初期位置まで移動して第２の可動体４５に近接し、再び装飾板４９の大部分が第１および第２の可動体４４，４５によって覆い隠される。
【００３６】
一方、第１および第２の可動体４４，４５が初期位置にあるときに、モータ３９を上記と反対方向に駆動してピニオン４０が図７の時計回りに回転すると、第１のラック４１が斜め上方へ移動して第１受け部４４ａから離反すると共に、第２のラック４２が斜め下方へ移動して第１受け部４４ａを押圧し、同時に、第３のラック４３が斜め上方へ移動して第２受け部４５ａを押圧する。その結果、第１の可動体４４が第１のラック４１の代わりに第２のラック４２からの押圧力を受けて斜め下方へ移動開始すると共に、第２の可動体４５が第３のラック４３からの押圧力を受けて直線Ｑ２に沿って斜め上方へ移動開始し、それに伴って第２コイルばね４７が伸延されていく。そして、ピニオン４０が第１乃至第３のラック４１，４２，４３の末端部分と噛合する位置まで回転すると、図１１〜図１３に示すように、第１の可動体４４が装飾板４９の下辺近傍の最下位置まで移動すると共に、第２の可動体４５が装飾板４９の上辺近傍の最上位置まで移動し、第１の可動体４４の上辺と第２の可動体４５の下辺との間に装飾板４９が大きく露出する。
【００３７】
このように第１および第２の可動体４４，４５がそれぞれ最下位置と最上位置まで移動した後、モータ３９を逆向きに駆動してピニオン４０が図１３の反時計回りに回転すると、第１のラック４１は斜め下方へ移動して第１受け部４４ａに近付いていくと共に、第２のラック４２は第１受け部４４ａから離反するように斜め上方へ移動し、同時に、第３のラック４３は第２受け部４５ａから離反するように斜め下方へ移動する。その際、第１の可動体４４は第１コイルばね４６の引張力を受けて初期位置へ付勢されているため、第１の可動体４４は第１受け部４４ａを第２のラック４２の下端部４２ａに当接させたまま、第２のラック４２の動きに追従して斜め上方へ移動する。また、第２の可動体４５は第２コイルばね４７の引張力を受けて初期位置へ付勢されているため、第２の可動体４５は第２受け部４５ａを第３のラック４３の上端部４３ｂに当接させたまま、第３のラック４３の動きに追従して斜め下方へ移動する。そして、ピニオン４０が第１乃至第３のラック４１，４２，４３の反対側の末端部分と噛合する位置まで回転すると、図５〜図７に示すように、第１および第２の可動体４４，４５がいずれも初期位置まで移動して近接状態となるため、再び装飾板４９の大部分が第１および第２の可動体４４，４５によって覆い隠される。
【００３８】
以上説明したように、本実施形態例に係る可動役物装置２６は、モータ３９を駆動源として正逆両方向へ回転するピニオン４０と、ピニオン４０に噛合する第１乃至第３のラック４１，４２，４３と、ベース部材３８に往復動可能に支持された第１および第２の可動体４４，４５と、第１および第２の可動体４４，４５を初期位置に向けて付勢する復帰手段（第１および第２コイルばね４６，４７）とを備えており、第１の可動体４４に第１および第２のラック４１，４２の下端部４１ａ，４２ａとのみ接離可能な第１受け部４４ａを設けると共に、第２の可動体４５に第３のラック４３の上端部４３ｂとのみ接離可能な第２受け部４５ａを設けてある。そして、ピニオン４０を一方向へ回転させて第１のラック４１が第１受け部４４ａを押圧する方向へ移動するとき、第３のラック４３は第２受け部４５ａから離反する方向へ移動し、ピニオン４０を他方向へ回転させて第２のラック４２が第１受け部４４ａを押圧する方向へ移動するとき、第３のラック４３は第２受け部４５ａを押圧する方向へ移動するようにしたので、モータ３９を制御してピニオン４０の回転方向を変えるだけで、第２の可動体４５を停止させたまま第１の可動体４４だけを移動させたり、第１の可動体４４と第２の可動体４５を同時に移動させることができ、第１および第２の可動体４４，４５によるインパクトのある可動演出を実現することができる。さらに、モータ３９の回転を制御することによって第１の可動体４４や第２の可動体４５の動きを多様化することができ、例えば、第１および第２の可動体４４，４５を最大移動位置の手前で一旦停止させたり、第１および第２の可動体４４，４５を移動途中で上下方向に小刻みに震わせる等の可動演出を行うことができる。
【００３９】
また、第１の可動体４４の移動方向（直線Ｑ１）に対して第２の可動体４５の移動方向（直線Ｑ２）が交差しており、第１および第２のラック４１，４２が第１の可動体４４の移動方向と平行に配置されていると共に、第３のラック４３が第２の可動体４５の移動方向と平行に配置されているため、第１および第２の可動体４４，４５を限られた領域内で効果的に移動させることができるだけでなく、第１乃至第３のラック４１，４２，４３からの押圧力を第１の可動体４４や第２の可動体４５の移動に効率良く伝達することができる。
【００４０】
なお、上記実施形態例では、第１の可動体４４の移動方向と第２の可動体４５の移動方向とを交差させているが、第１および第２の可動体４４，４５を同一直線上または互いに平行な直線に沿って移動させるようにしても良い。また、可動役物装置２６の配設場所は表示画面２７ａの上方位置に限定されず、表示画面２７ａの側方位置や下方位置等に配置することも可能である。
【００４１】
また、上記実施形態例では、第１の可動体４４と第２の可動体４５をそれぞれコイルばね４６，４７によって初期位置方向へ付勢するようにしているが、初期位置から斜め上方へ移動する第２の可動体４５については、第２コイルばね４７を省略して自重だけで初期位置に戻すことも可能であり、その場合、第２の可動体４５の復帰手段は自重となる。ただし、第２コイルばね４７を用いた方が第２の可動体４５の復帰動作は確実となり、特に、第２の可動体４５の移動方向が鉛直線に対して大きく傾いている場合は、復帰手段としてコイルばね等の弾性部材を用いることが好ましい。
【００４２】
次に、図１４〜図１６を参照して別の実施形態例に係る可動役物装置５０について説明する。この可動役物装置５０では、ピニオン５１に互いに逆向きに移動可能な第１および第２のラック５２，５３を噛合し、第１の可動体５４に第１および第２のラック５２，５３の下端部５２ａ，５３ａと接離可能な第１受け部５４ａを設けると共に、第２の可動体５５に第１のラック５２の上端部５２ｂとのみ接離可能な第２受け部５５ａを設けてあり、第１および第２のラック５２，５３の移動方向に応じて第１および第２の可動体５４，５５を選択的に駆動するようにした点が前述した可動役物装置２６と大きく相違している。
【００４３】
すなわち、図１４に示すように、第１および第２のラック５２，５３はピニオン５１を介して対向配置されており、これら第１および第２のラック５２，５３は図示せぬベース部材に移動可能にガイドされ、第１および第２の可動体５４，５５もベース部材に往復動可能に支持されている。また、第１の可動体５４に第２のラック５２，５３の下端部５２ａ，５３ａと対向する第１受け部５４ａが立設されると共に、第２の可動体５５に第１のラック５２の上端部５２ｂと対向する第２受け部５５ａが立設されており、この第２受け部５５ａは第２のラック５３の上端部５３ｂの移動軌跡から大きく外れている。なお、ピニオン５１の駆動源であるモータや、第１および第２の可動体５４，５５を初期位置に向けて付勢するコイルばね（復帰手段）等は図示省略されている。
【００４４】
このように構成された可動役物装置５０において、図１４に示すように、第１および第２の可動体５４，５５が初期位置で近接しているとき、第１および第２のラック５２，５３の下端部５２ａ，５３ａが第１の可動体５４の第１受け部５４ａに当接していると共に、第１のラック５２の上端部５２ｂが第２の可動体５５の第２受け部５５ａに当接している。この状態で図示せぬモータを駆動してピニオン５１が図１４の反時計回りに回転すると、第１のラック５２が斜め下方へ移動して第１受け部５４ａを押圧すると共に、第２のラック５３が斜め上方へ移動して第２受け部５５ａの側方を非接触で通過する。その結果、図１５に示すように、第２の可動体５５は初期位置に停止したまま移動しないが、第１の可動体５４が第１のラック５２からの押圧力を受けて初期位置から斜め下方へ移動する。
【００４５】
また、第１および第２の可動体５４，５５が初期位置で近接しているとき、モータを上記と反対方向に駆動してピニオン５１が図１４の時計回りに回転すると、第１のラック５２が斜め上方へ移動して第２受け部５５ａを押圧すると共に、第２のラック５３が斜め下方へ移動して第１受け部５４ａを押圧する。その結果、図１６に示すように、第１の可動体５４が第２のラック５３からの押圧力を受けて初期位置から斜め下方へ移動すると共に、第２の可動体５５が第１のラック５２からの押圧力を受けて初期位置から斜め上方へ移動する。したがって、本実施形態例に係る可動役物装置５０においても、前述した可動役物装置２６と同様に、モータを制御してピニオン５１の回転方向を変えるだけで、第２の可動体５５を停止させたまま第１の可動体５４だけを移動させたり、第１の可動体５４と第２の可動体５５を同時に移動させることができるため、第１および第２の可動体５４，５５によるインパクトのある可動演出を実現することができる。
【符号の説明】
【００４６】
６  遊技盤
２３  遊技領域
２４  センター役物
２５  装飾枠
２６，５０  可動役物装置
２７  可変表示装置
２７ａ  表示画面
３８  ベース部材
３８ａ  第１のガイド孔
３８ｂ  第２のガイド孔
３９  モータ
４０，５１  ピニオン
４１，５２  第１のラック
４２，５３  第２のラック
４３  第３のラック
４４，５４  第１の可動体
４４ａ，５４ａ  第１受け部
４５，５５  第２の可動体
４５ａ，５５ａ  第２受け部
４６  第１コイルばね（復帰手段）
４７  第２コイルばね（復帰手段）
４８  減速歯車列
４９  装飾板
【図１】
0005902044.tif 000002
【図２】
0005902044.tif 000003
【図３】
0005902044.tif 000004
【図４】
0005902044.tif 000005
【図５】
0005902044.tif 000006
【図６】
0005902044.tif 000007
【図７】
0005902044.tif 000008
【図８】
0005902044.tif 000009
【図９】
0005902044.tif 000010
【図１０】
0005902044.tif 000011
【図１１】
0005902044.tif 000012
【図１２】
0005902044.tif 000013
【図１３】
0005902044.tif 000014
【図１４】
0005902044.tif 000015
【図１５】
0005902044.tif 000016
【図１６】
0005902044.tif 000017